(57)【要約】      （修正有）【課題】操作性が良好なチャイルドシートを提供すること。【解決手段】チャイルドシートは、座席本体と、一対の肩ベルトと、背もたれ部の前面上に重なって、上下方向に摺動可能なスライド部材６と、スライド部材６の高さを所定位置に固定するロック機構とを備える。ロック機構は、スライド部材６を上下方向に摺動させるための持ち手部７０を含む。持ち手部７０は、スライド部材６から突出しない収納位置と、スライド部材６から突出する機能位置とを取り得る。【選択図】図６
2020189585.tif 000002
【特許請求の範囲】
【請求項１】
座面部と背もたれ部とを含む座席本体と、
前記背もたれ部の前面上に重なって、上下方向に摺動可能なスライド部材と、
前記スライド部材の高さを所定位置に固定するロック機構とを備え、
前記ロック機構は、前記スライド部材を上下方向に摺動させるための持ち手部を含み、
前記持ち手部は、前記スライド部材から突出しない収納位置と、前記スライド部材から突出する機能位置とを取り得る、チャイルドシート。
【請求項２】
前記持ち手部は、前記スライド部材に対して回転可能に設けられる操作レバーである、請求項１に記載のチャイルドシート。
【請求項３】
前記持ち手部は、操作可能な操作部を含み、
前記ロック機構は、前記操作部の操作により、前記スライド部材を上下方向に摺動させる移動部を含む、請求項１または２に記載のチャイルドシート。
【請求項４】
前記操作部は、上下移動可能な押しボタンである、請求項３に記載のチャイルドシート。
【請求項５】
前記持ち手部は、前記持ち手部を前記収納位置に付勢する付勢手段を含む、請求項１〜４のいずれかに記載のチャイルドシート。
【請求項６】
前記座席本体に設けられた一対の肩ベルトをさらに備え、
前記スライド部材は、前記一対の肩ベルトを貫通させる一対の肩ベルト通し穴を含む、請求項１〜５のいずれかに記載のチャイルドシート。
【請求項７】
前記持ち手部が前記収納位置の場合に、前記スライド部材は、前記背もたれ部に対する移動が規制される、請求項１〜６のいずれかに記載のチャイルドシート。
【請求項８】
前記背もたれ部は、前記一対の肩ベルト通し穴を通過した前記一対の肩ベルトを背面にまで貫通させる、上下方向に長い一対の長穴を含み、
前記ロック機構は、
前記背もたれ部の前記一対の長穴に沿って、上下方向に間隔をあけて設けられる複数の受け入れ穴と、
前記スライド部材に設けられ、前記受け入れ穴に貫通するピン部材とさらに含み、
前記持ち手部が前記収納位置の場合に、前記ピン部材が前記受け入れ穴に貫通する、請求項７に記載のチャイルドシート。
【請求項９】
前記スライド部材は、子供の後頭部を保護する立壁部と、子供の側頭部を保護する一対の側壁部とを含むヘッドレストであり、
前記持ち手部は、前記立壁部の上方に設けられる、請求項１〜８のいずれかに記載のチャイルドシート。
【発明の詳細な説明】
【技術分野】
【０００１】
この発明は、チャイルドシートに関する。
【背景技術】
【０００２】
従来から、子供の成長に応じて背もたれ部上に重なるバックプレートの高さ位置を調節することが可能なチャイルドシートとして、たとえば、特開２００５−２５５１４９号公報（特許文献１）および特開２０１２−１１６４６５号公報（特許文献２）が知られている。
【０００３】
特許文献１には、肩ハーネス挿通孔を有するバックプレートが、ロッド高さ調整機構により本体シェルに対して昇降可能であることが開示されている。ロッド高さ調整機構は、バックプレートの背面側に取り付けられ、チャイルドシートの背面側からつまみを操作することにより、バックプレートの高さ位置を変更することが可能である。
【０００４】
特許文献２には、バックプレートに取り付けられたロッド高さ調整機構のつまみが、背もたれ部の前面側または背面側から操作可能であり、つまみを操作することで、バックプレートの高さ位置を変更できることが開示されている。
【先行技術文献】
【特許文献】
【０００５】
【特許文献１】特開２００５−２５５１４９号公報
【特許文献２】特開２０１２−１１６４６５号公報
【発明の概要】
【発明が解決しようとする課題】
【０００６】
引用文献１，２のロッド高さ調整機構は、つまみを操作することでバックプレートの高さ位置を変更することが可能であるが、つまみが小さいため、操作性が悪い。
【０００７】
本発明は、上記のような課題を解決するためになされたものであって、その目的は、操作性が良好なチャイルドシートを提供することを目的とする。
【課題を解決するための手段】
【０００８】
この目的のため本発明の一態様に係るチャイルドシートは、座面部と背もたれ部とを含む座席本体と、背もたれ部の前面上に重なって、上下方向に摺動可能なスライド部材と、スライド部材の高さを所定位置に固定するロック機構とを備え、ロック機構は、スライド部材を上下方向に摺動させるための持ち手部を含み、持ち手部は、スライド部材から突出しない収納位置と、スライド部材から突出する機能位置とを取り得る。
【０００９】
好ましくは、持ち手部は、スライド部材に対して回転可能に設けられる操作レバーである。
【００１０】
好ましくは、持ち手部は、操作可能な操作部を含み、ロック機構は、前記操作部の操作により、前記スライド部材を上下方向に摺動させる移動部を含む。
【００１１】
好ましくは、操作部は、上下移動可能な押しボタンである。
【００１２】
好ましくは、持ち手部は、持ち手部を収納位置に付勢する付勢手段を含む。
【００１３】
好ましくは、座席本体に設けられた一対の肩ベルトをさらに備え、スライド部材は、前記一対の肩ベルトを貫通させる一対の肩ベルト通し穴を含む。
【００１４】
好ましくは、持ち手部が収納位置の場合に、スライド部材は、背もたれ部に対する移動が規制される。
【００１５】
好ましくは、背もたれ部は、一対の肩ベルト通し穴を通過した一対の肩ベルトを背面にまで貫通させる、上下方向に長い一対の長穴を有し、ロック機構は、背もたれ部の一対の長穴に沿って、上下方向に間隔をあけて設けられる複数の受け入れ穴と、スライド部材に設けられ、受け入れ穴に貫通するピン部材とさらに含み、持ち手部が収納位置の場合に、ピン部材が受け入れ穴に貫通する。
【００１６】
好ましくは、スライド部材は、子供の後頭部を保護する立壁部と、子供の側頭部を保護する一対の側壁部とを含むヘッドレストであり、持ち手部は、立壁部の上方に設けられる。
【発明の効果】
【００１７】
本発明によれば、操作性が良好なチャイルドシートを提供することができる。
【図面の簡単な説明】
【００１８】
【図１】本実施の形態に係るチャイルドシートの斜視図である。
【図２】本実施の形態に係るチャイルドシートの一部分を取り出して示す斜視図である。
【図３】本実施の形態に係るチャイルドシートの一部分を取り出して示す斜視図である。
【図４】本実施の形態に係るチャイルドシートのスライド部材が上下方向に摺動可能であることを示す模式図であり、（Ａ）はスライド部材が下方に位置することを示し、（Ｂ）はスライド部材が上方に位置することを示す。
【図５】スライド部材を取り出して背面から見た斜視図である。
【図６】スライド部材を取り出して示す正面図であり、（Ａ）は持ち手部が収納位置の状態、（Ｂ）は持ち手部が機能位置の状態、（Ｃ）は持ち手部が機能位置の状態で押しボタンを押圧した状態を示す。
【図７】図６の部分拡大正面図である。
【図８】図６のスライド部材から持ち手部および移動部を取り出して示す斜視図である。
【図９】持ち手部に設けられる回転体を取り出して示す図であり、（Ａ）は斜視図であり、（Ｂ）は平面図である。
【発明を実施するための形態】
【００１９】
本発明の実施の形態について図面を参照しながら詳細に説明する。なお、図中同一または相当部分には同一符号を付してその説明は繰り返さない。
【００２０】
図１〜４を参照して、本発明の実施の形態に係るチャイルドシート１について説明する。チャイルドシート１の説明において、前後方向は、チャイルドシート１の前後方向に対応し、左右方向は、チャイルドシート１の前方から見た左右方向に対応している。
【００２１】
図１は、チャイルドシート１の斜視図であり、図２は、図１のチャイルドシート１からベース本体２およびクッションなどの被覆部材を取り外した状態を示す斜視図であり、図３は、図３の状態からスライド部材６を取り外した状態を示す斜視図である。図４は、スライド部材６が上下方向に摺動可能であることを示す模式図である。
【００２２】
特に図１を参照して、本実施形態に係るチャイルドシート１は、自動車の座席の上に配置され、乳児や幼児などの子供を安全に乗車させるための装置である。チャイルドシート１は、ベース本体２および座席本体３を備える。
【００２３】
ベース本体２は、乗用自動車の座席シート上に載置され、座席本体３を下方から支持するベース部２０を含む。ベース部２０の前方端には、乗用自動車の床面に向かって伸びるレッグサポート２１が設けられている。ベース部２０の後方端には、乗用自動車の座席シートのアンカーに連結するＩＳＯＦＩＸ２２が設けられている。ベース部２０の上方には、ベース本体２に対して回転可能に支持される座席本体３が設けられている。
【００２４】
座席本体３は、ベース本体２の上側に取り付けられ、ベース本体２に対して回転自在に支持される。図１では、座席本体３上において、柔らかい布製部材、たとえばクッション材などの被覆部材が装着されている状態が示されている。なお、座席本体３は、シート体３０を介して、ベース本体２に対して回転可能に設けられてもよい。シート体３０は、座席本体３を左右後方から包囲している。座席本体３は、シート体３０に固定されており、座席本体３とシート体３０は、ベース部２０に対して回転可能に設けられる。
【００２５】
座席本体３は、座面部４と背もたれ部５と含む。座席本体３には、子供が着座する。そのため、座面部４は、子供の臀部を支持し、背もたれ部５は、座面部４の後方から立ち上がり、子供の背部を支持する。なお、図２に示すように、背もたれ部５の前面上には、スライド部材６が重なっている。スライド部材６については、後述する。
【００２６】
図３に示すように、背もたれ部５は、背もたれ部本体５１と、背もたれ部本体５１に設けられ、上下方向に長い一対の長穴５２と、一対の長穴５２に沿って設けられる複数の受け入れ穴５３とを含む。長穴５２は、左右方向に間隔をあけて設けられる。長穴５２は、後述する一対の肩ベルト１１（図１）を背面にまで貫通させる。ここでいう背面は、背もたれ部本体５１とシート体３０との間である。受け入れ穴５３は、上下方向に間隔をあけて５つ設けられる。受け入れ穴５３には、後述するスライド部材６のピン部材７７（図５）が貫通するため、スライド部材６の高さを５段階に調節することができる。なお、受け入れ穴５３は、典型的には貫通孔であるが、ピン部材７７と係合することができれば、たとえば凹部、切り欠きなどであってもよい。
【００２７】
図１に示すように、座席本体３には、子供の体を拘束するベルトが複数設けられている。これらのベルトは、５点ベルトである。具体的には、背もたれ部５には、子供の両肩を拘束する一対の肩ベルト１１が設けられる。肩ベルト１１は、スライド部材６および背もたれ部５を貫通するように配置されている。肩ベルト１１は、背もたれ部５に装着されており、背もたれ部５に固定されていることに限定されず、チャイルドシート１の後方から前方までループしている状態も含む。
【００２８】
また、座面部４には、座席本体３に着座した子供の両太腿の間を延びる股ベルト１３と、子供の腰を拘束する一対の腰ベルト１２とを含む。これらのベルト１１，１２，１３は、股ベルト１３の先端に設けられる連結具１４により、子供の腹部付近で連結される。なお、ベルト１１，１２，１３および連結具１４についても、図１のみにおいて示されており、他の図では省略されている。
【００２９】
次に、図２，図５を参照して、スライド部材６について説明する。図５は、スライド部材６を背面から見た斜視図である。
【００３０】
図５に示すように、スライド部材６は、背もたれ部５の前面に重なって、上下方向に摺動可能である。スライド部材６は、ヘッドレストとして機能する。そのため、スライド部材６は、子供の後頭部を保護する立壁部６１と、子供の側頭部を保護する一対の側壁部６２とを含む。側壁部６２は、立壁部６１の左右方向両端部に取り付けられ、前方に向かって突出する。なお、スライド部材６上においても、座席本体３と同様に、やわらかい布製部材、たとえばクッション材などの被覆部材が装着されていてもよい。
【００３１】
立壁部６１には、一対の肩ベルト１１を貫通させる一対の肩ベルト通し穴６３が設けられる。一対の肩ベルト通し穴６３は、立壁部６１の下方側に設けられる。肩ベルト通し穴６３が背もたれ部５と対面する位置には、長穴５２（図３）が設けられている。これにより、肩ベルト通し穴６３を通過した肩ベルト１１は、背もたれ部５の長穴５２をさらに通過する。そのため、スライド部材６の高さを調節することで、肩ベルト１１の高さを調節することができる。具体的には、図４（Ａ）から図４（Ｂ）の範囲で、スライド部材６の高さ位置を変化させて、肩ベルト１１の支持位置、つまり肩ベルト通し穴６３の高さ位置を変化させることができる。これにより、本実施の形態のチャイルドシート１は、子供の成長に応じて肩ベルト１１の高さ位置の調節を容易に行うことができる。
【００３２】
立壁部６１には、立壁部６１の左右方向両端部から下方に突出して延びる一対の延出部６４が設けられる。一対の延出部６４には、図２，図５において、破線で示すカバー部６５が掛け渡されていてもよい。その場合、カバー部６５は、薄手の素材であり、例えばハンモック素材などである。
【００３３】
立壁部６１の上方には、スライド部材６の高さを所定位置に調節するための持ち手部７０が露出している。立壁部６１の上端縁には、持ち手部７０全体が露出するように、持ち手部７０の形状に沿った凹部６１ａが設けられている。また、図５の破線で示すように、立壁部６１の内部には、持ち手部７０の操作により、上下方向に移動する移動部７３が設けられている。持ち手部７０と、移動部７３と、背もたれ部５の受け入れ穴５３とで、スライド部材６の高さを所定位置に固定する「ロック機構」を構成する。
【００３４】
図６〜図９を参照して、持ち手部７０および移動部７３について説明する。図６は、スライド部材６を示す正面図であり、スライド部材６の前面カバーを取り外した状態を示している。特に、図６（Ａ）は持ち手部７０が収納位置の状態、図６（Ｂ）は持ち手部７０が機能位置の状態、図６（Ｃ）は持ち手部７０が機能位置の状態で押しボタン７２を押圧した状態を示している。図７は、図６の部分拡大正面図であり、図８は、図６のスライド部材６から持ち手部７０および移動部７３の示す斜視図である。また、図９は、持ち手部７０に設けられる回転体９０の斜視図である。なお、図６，図７において、理解容易のため、立壁部６１の枠部、第１ストッパ６６および第２ストッパ６７にハッチングをして示している。
【００３５】
持ち手部７０は、スライド部材６を上下方向に摺動させるためのものである。持ち手部７０は、上述のように、スライド部材６の立壁部６１の上方に設けられる。具体的には、持ち手部７０は、立壁部６１の左右方向中央部に設けられる。これにより、持ち手部７０は、使用者が手で掴みやすい位置に設けられるため、操作を容易に行うことができる。持ち手部７０は、スライド部材６に対して移動可能に設けられる操作レバー７１と、上下移動可能な押しボタン７２とを含む。
【００３６】
操作レバー７１は、スライド部材６から突出しない収納位置（図６（Ａ）と、スライド部材６から突出する機能位置（図６（Ｂ），（Ｃ））とを取り得る。操作レバー７１が収納位置の場合に、スライド部材６は、背もたれ部５に対する移動が規制される。収納位置とは、操作レバー７１がスライド部材６の凹部６１ａに納められている状態における操作レバー７１の位置である。機能位置とは、操作レバー７１がスライド部材６の凹部６１ａから出ている状態における操作レバー７１の位置であり、前方に突出する場合だけでなく、たとえば左右、後方などに移動した状態を含む。
【００３７】
操作レバー７１は、使用者が掴むことができる取っ手であればよく、棒状だけでなく、たとえば凹部、ノブ状なども含まれる。また、操作レバー７１は、使用者の３本以上の指で掴める程度の大きさであることが好ましい。操作レバー７１の前後方向の幅は、立壁部６１の前後方向の幅と略同一か、それよりも小さいことが好ましい。さらに、持ち手部７０が収納位置にある場合に、持ち手部７０の上端縁は、立壁部６１の上端縁に沿った形状となる。これにより、操作レバー７１は掴みやすい大きさであるにも関わらず、操作レバー７１が収納位置にある場合に、邪魔にならず、持ち手部７０の存在が目立たない。
【００３８】
図７（Ａ）を特に参照して、操作レバー７１は、スライド部材６に対して回転可能に設けられる。具体的には、操作レバー７１は、軸部８１を中心に、右方から前方に向かってたとえば略９５度回転可能に設けられる。軸部８１は、押しボタン７２の下端に固定されて、後述する回転体９０まで延びている。さらに、軸部８１は、リンク部８２を貫通している。リンク部８２は、立壁部６１の凹部６１ａの下端と第１ストッパ６６の上端との間に固定されている。リンク部８２には、操作レバー７１（軸部８１）を常に収納位置に付勢する付勢手段（図示せず）が内蔵されている。付勢手段は、たとえばねじりばねである。これにより、操作レバー７１は、使用者が操作する場合を除き、常に収納位置で維持される。軸部８１の下端には、回転体９０が取り付けられる。
【００３９】
図９を特に参照して、回転体９０は、貫通孔９１と、円周部９２と、円周部９２を切り欠いた切り欠き部９３とを含む。図９（Ｂ）に示すように、切り欠き部９３間の幅寸法Ｌ２は、円周部９２間の幅寸法Ｌ１よりも小さく設計されている（Ｌ２＜Ｌ１）。
【００４０】
ここで、図７（Ａ）に示すように、回転体９０は、操作レバー７１が収納位置の場合に、切り欠き部９３が前方側を向くように取り付けられている。回転体９０は、左右方向の寸法がＬ１となり、立壁部６１に設けられる第２ストッパ６７間の寸法Ｌ３よりも大きくなる（Ｌ１＞Ｌ３）。このため、回転体９０は、立壁部６１の第２ストッパ６７の上端に当接する。これにより、操作レバー７１が収納位置の状態では、押しボタン７２を押圧することができない。
【００４１】
図７（Ｂ），図７（Ｃ）に示すように、操作レバー７１を略９５度回転させて、機能位置にすると、回転体９０は、軸部８１の回転に合わせて回転し、円周部９２が前方側を向く。これにより、回転体９０の左右方向の寸法がＬ２となり、第２ストッパ６７間の寸法Ｌ３よりも小さくなる（Ｌ２＜Ｌ３）。このため、操作レバー７１が機能位置にある状態で、押しボタン７２を押圧すると、立壁部６１に設けられる第２ストッパ６７の間に回転体９０を移動させることができる。これにより、回転体９０の下方に設けられる移動部７３が下方にスライド移動する。
【００４２】
上述のように、操作レバー７１は、軸部８１を中心に回転し、軸部８１には、回転体９０が取り付けられている。これにより、操作レバー７１、軸部８１および回転体９０の回転は連動する。さらに、押しボタン７２は、軸部８１の上端と連結されている。これにより、押しボタン７２、軸部８１および回転体９０の上下移動は連動する。したがって、操作レバー７１を収納位置から機能位置にして、押しボタン７２を上方から下方に押圧することで、回転体９０を下方に移動させ、移動部７３を下方に移動させることが可能となる。つまり、スライド部材６の高さ位置を変更させるためには、操作レバー７１を操作し、さらに押しボタン７２を操作する必要がある。
【００４３】
このように、本実施の形態のロック機構は、ロックを解除するために２つの動作を必要とする「ダブルロック機構」である。これにより、誤操作を防ぐことができ、安全性を向上させることができる。また、操作レバー７１を握り、押しボタン７２をたとえば親指などで押圧することで、片手で簡単に操作することができる。
【００４４】
図８を特に参照して、移動部７３は、回転体９０を下方から支持する支持部７９と、支持部７９に連結する横材７４と、横材７４の両端から下方に延びる縦材７５とを含む。支持部７９は、回転体９０の上下方向の動きを横材７４および縦材７５に伝える役割を果たす。横材７４は、上方部分７４ａと、支持部７９を固定する下方部分７４ｂと、上方部分７４ａと下方部分７４ｂとを連結する連結部７４ｃとを有する。上方部分７４ａ、下方部分７４ｂおよび連結部７４ｃは、略棒状である。
【００４５】
縦材７５は、上方部分７４ａの両端に連結する棒状部７５ａと、棒状部７５ａの下端に設けられる平板部７５ｂとを有する。棒状部７５ａは、図示しないコイルバネが内蔵されている。コイルバネは、移動部７３を常に上方に付勢している。平板部７５ｂは、前面から後方に突出して設けられ、略中央部に傾斜穴７６が設けられている。傾斜穴７６は、前方から後方に向かって下降する。傾斜穴７６には、ピン部材７７が挿入されている。
【００４６】
ピン部材７７は、上述した背もたれ部５の受け入れ穴５３（図３）に貫通する。ピン部材７７は、略Ｌ字状であり、短尺状の短尺部７７ａと、長尺状の長尺部７７ｂとを有する。短尺部７７ａは傾斜穴７６内に挿入している。これにより、移動部７３が通常の状態（操作レバー７１が収納位置の状態）では、短尺部７７ａは傾斜穴７６の下方に位置し、図８（Ａ），図８（Ｂ），図５に示すように、長尺部７７ｂは、スライド部材６の背面から外方に突出し、図３の背もたれ部５の受け入れ穴５３に貫通する。移動部７３が下方に移動した状態（操作レバー７１が機能位置の状態）では、短尺部７７ａは傾斜穴７６の傾斜に沿って上方に移動し、図８（Ｃ）に示すように、長尺部７７ｂは受け入れ穴５３から引き抜かれる。
【００４７】
次に、スライド部材の高さを所定位置に固定するためのロック機構の動作について説明する。
【００４８】
図６（Ａ），図７（Ａ），図８（Ａ）の状態の操作レバー７１を手で握り、９５度前方に回転させる。さらに、図６（Ｂ），図７（Ｂ），図８（Ｂ）に示すように、押しボタン７２を下方に押圧すると、図６（Ｃ），図７（Ｃ），図８（Ｃ）に示すように、移動部７３が下方に移動し、傾斜穴７６も下方に移動する。傾斜穴７６に貫通しているピン部材７７の短尺部７７ａは、傾斜穴７６の傾斜に沿って上方に移動し、ピン部材７７の長尺部７７ｂは、背もたれ部５の受け入れ穴５３から引き抜かれる。つまり、ピン部材７７と背もたれ部５の受け入れ穴５３（図３）との係合状態が解除される。これにより、スライド部材６のロック状態が解除される。
【００４９】
操作レバー７１から手を離すと、押しボタン７２の押圧により縮んでいた移動部７３のコイルバネおよび持ち手部７０のねじりばねは、その付勢力よって、図６（Ａ），図７（Ａ），図８（Ａ）に示す位置に復帰する。これにより、ピン部材７７の短尺部７７ａは、傾斜穴７６の傾斜に沿って下方に移動し、ピン部材７７の長尺部７７ｂは、背もたれ部５の受け入れ穴５３（図３）に貫通する。これにより、スライド部材６は、背もたれ部５に対する移動が規制される。
【００５０】
子供の成長に応じて、スライド部材６の高さを移動させる際の動作は、次の通りである。
【００５１】
まず、収納位置にある操作レバー７１を手で握り、９５度前方に回転させて持ち手部７０を機能位置にする。その状態で押しボタン７２を上方から押圧し、スライド部材６のピン部材７７を背もたれ部５の受け入れ穴５３からそれぞれ引き抜く。その状態で、スライド部材６を所望の高さまで移動させて、操作レバー７１から手を離す。持ち手部７０および移動部７３は、持ち手部７０のねじりばね、および、移動部７３のコイルバネの付勢力によって、元の位置（収納位置）に復帰し、一対のピン部材７７がそれぞれ受け入れ穴５３に貫通し、スライド部材６の移動が禁止する。このように、子供の成長に合わせて、一番低い高さの図４（Ａ）の位置から、一番高い高さの図４（Ｂ）の位置まで、所定の位置でスライド部材６の高さを調節することが可能である。
【００５２】
これにより、使用者は、スライド部材６の高さを調節する場合に、持ち手部７０を操作するだけでよいため、操作性が良好である。また、操作レバー７１が機能位置にある場合に、掴みやすくて操作しやすいが、操作レバー７１が収納位置にある場合に、邪魔にならず、操作レバー７１の存在が目立たない。
【００５３】
なお、上記実施の形態において、スライド部材６には、肩ベルト通し穴６３が設けられるとして説明した。しかし、スライド部材６は、肩ベルト通し穴６３が必ずしも設けられなくてもよく、少なくとも子供の背中を保護するものであればよい。また、スライド部材６がヘッドレストである場合、スライド部材６は、子供の頭部を保護する立壁部６１だけで形成されていればよく、側壁部６２は必ずしも設けられていなくてもよい。これにより、子供の頭部の高さ位置に応じて、スライド部材６の高さ位置を調節することが可能となる。
【００５４】
また、上記実施の形態において、持ち手部７０は、操作レバー７１と押しボタン７２とを備えるダブルロック機構を有するとしたが、押しボタン７２は設けられていなくてもよく、操作レバー７１の操作だけで移動部７３が上下方向に移動してもよい。
【００５５】
さらに、上記実施の形態において、押しボタン７２は、上下移動可能であるとしたが、スライド部材６を上下方向に摺動させるものであればよく、たとえば左右方向、前後方向など移動方向に限定されない。また、押しボタン７２は、押しボタンという形状に限定されず、たとえば摘みなど、操作可能な操作部であればよい。
【００５６】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５７】
１  チャイルドシート、２  ベース本体、３  座席本体、４  座面部、５  背もたれ部、６  スライド部材、１１  肩ベルト、１２  腰ベルト、１３  股ベルト、１４  連結具、２０  ベース部、２１  レッグサポート、３０  シート体、５１  背もたれ部本体、５２  長穴、５３  受け入れ穴、６１  立壁部、６１ａ  凹部、６２  側壁部、６３  肩ベルト通し穴、６４  延出部、６５  カバー部、６６  第１ストッパ、６７  第２ストッパ、７０  持ち手部、７１  操作レバー、７２  押しボタン、７３  移動部、７４  横材、７４ａ  上方部分、７４ｂ  下方部分、７４ｃ  連結部、７５  縦材、７５ａ  棒状部、７５ｂ  平板部、７６  傾斜穴、７７  ピン部材、７７ａ  短尺部、７７ｂ  長尺部、７９  支持部、８１  軸部、８２  リンク部、９０  回転体、９１  貫通孔、９２  円周部、９３  切り欠き部。
【図１】
2020189585.tif 000003
【図２】
2020189585.tif 000004
【図３】
2020189585.tif 000005
【図４】
2020189585.tif 000006
【図５】
2020189585.tif 000007
【図６】
2020189585.tif 000008
【図７】
2020189585.tif 000009
【図８】
2020189585.tif 000010
【図９】
2020189585.tif 000011